(57)【要約】【課題】販売時点情報管理（POS）システムの単一のディスプレイスクリーン上で一般的な情報および追加情報の両方の表示を可能にすることができるコンピュータによって実施される方法を提供する。【解決手段】プロセッサは、POSアプリケーションを実行して第１の画像および第２の画像にそれぞれ関連付けられた第１の画像データおよび第２の画像データを生成し、ディスプレイドライバを実行して第１の画像データおよび第２の画像データを第１の復号化データおよび第２の復号化データに復号し、ディスプレイドライバを実行して、第１の画像および第２の画像に関連付けられた統合された画像データを生成するために、第１の復号化データおよび第２の復号化データを結合し、ディスプレイスクリーンが第１の画像および第２の画像をディスプレイスクリーン上に表示することを可能にされるように、統合された画像データをディスプレイスクリーンに送信する。【選択図】図１
2015212945.tif 000002
【特許請求の範囲】
【請求項１】
販売時点情報管理（POS）システム上で情報を表示するためのコンピュータによって実施される方法であって、前記POSシステムは、ホスト（２）および前記ホスト（２）に結合されるディスプレイスクリーン（３）を含み、前記ホスト（２）はプロセッサ（２２）と、POSアプリケーション（２１１）およびディスプレイドライバ（２１２）を格納するストレージモジュール（２１）とを含み、前記方法は、
ａ）前記プロセッサ（２２）によって、前記POSアプリケーション（２１１）を実行して第１の画像および第２の画像にそれぞれ関連付けられた第１の画像データおよび第２の画像データを生成するステップと、
ｂ）前記プロセッサ（２２）によって、前記ディスプレイドライバ（２１２）を実行して前記第１の画像データおよび前記第２の画像データをそれぞれ第１の復号化データおよび第２の復号化データに復号するステップと、
ｃ）前記プロセッサ（２２）によって、前記ディスプレイドライバ（２１２）を実行して、前記第１の画像および前記第２の画像に関連付けられた統合された画像データを生成するために、前記第１の復号化データおよび前記第２の復号化データを結合するステップと、
ｄ）前記プロセッサ（２２）によって、前記統合された画像データを前記ディスプレイスクリーン（３）に送信するステップと、
ｅ）前記ディスプレイスクリーン（３）によって、前記第１の画像および前記第２の画像を前記ディスプレイスクリーン（３）上に表示するステップと
を有する、方法。
【請求項２】
ステップｃ）では、前記プロセッサ（２２）は、前記ディスプレイドライバ（２１２）を実行して、前記第１の画像および前記第２の画像を単一の画像に統合する統合された画像に関連付けられた前記統合された画像データを生成する、請求項１に記載の方法。
【請求項３】
ステップｃ）では、前記プロセッサ（２２）は、前記ディスプレイドライバ（２１２）を実行して、前記第１の画像および前記第２の画像の交互の表示に関連付けられた前記統合された画像データを生成する、請求項１に記載の方法。
【請求項４】
前記POSシステムは情報取得装置（１）をさらに含み、
前記方法は、ステップａ）の前に、前記情報取得装置（１）によって、商品に関する一般的な情報を取得するステップをさらに有し、
ステップａ）では、前記プロセッサ（２２）は、前記POSアプリケーション（２１１）を実行して、前記商品の前記一般的な情報を使用して前記第１の画像データを生成し、前記第１の画像は前記商品の前記一般的な情報を含む、
請求項１に記載の方法。
【請求項５】
前記ストレージモジュール（２１）は広告情報をさらに格納し、
ステップａ）では、前記プロセッサ（２２）は前記POSアプリケーション（２１１）を実行して、前記広告情報を使用して前記第２の画像データを生成し、前記第２の画像は前記広告情報を含む、
請求項４に記載の方法。
【請求項６】
前記情報取得装置（１）はバーコードリーダを含み、
一般的な情報を取得する前記ステップでは、前記バーコードリーダは、前記商品に関する前記一般的な情報を取得するために、前記商品に関連付けられたバーコードをスキャンする、
請求項４に記載の方法。
【請求項７】
前記ストレージモジュール（２１）は、広告情報をさらに格納し、
ステップa）では、前記プロセッサ（２２）は前記POSアプリケーション（２１１）を実行して、前記広告情報を使用して前記第１の画像データおよび前記第２の画像データのうちの１つを生成し、前記第１の画像データおよび前記第２の画像データのうちの前記１つに関連付けられた前記第１の画像および前記第２の画像のうちの１つは、前記広告情報を含む、
請求項１に記載の方法。
【請求項８】
ホスト（２）および前記ホスト（２）に結合されるディスプレイスクリーン（３）を含む販売時点情報管理（POS）システムであって、前記ホスト（２）はプロセッサ（２２）およびストレージモジュール（２１）を含み、前記ストレージモジュール（２１）はPOSアプリケーション（２１１）およびディスプレイドライバ（２１２）を格納し、
前記プロセッサ（２２）は、
前記POSアプリケーション（２１１）を実行して第１の画像および第２の画像にそれぞれ関連付けられた第１の画像データおよび第２の画像データを生成し、
前記ディスプレイドライバ（２１２）を実行して前記第１の画像データおよび前記第２の画像データをそれぞれ第１の復号化データおよび第２の復号化データに復号し、
前記ディスプレイドライバ（２１２）を実行して、前記第１の画像および前記第２の画像に関連付けられた統合された画像データを生成するために、前記第１の復号化データおよび前記第２の復号化データを結合し、
前記ディスプレイスクリーン（３）が前記第１の画像および前記第２の画像を前記ディスプレイスクリーン（３）上に表示することを可能にするために、前記統合された画像データを前記ディスプレイスクリーン（３）に送信する
ようにプログラムされる、POSシステム。
【請求項９】
前記プロセッサ（２２）は、前記ディスプレイドライバ（２１２）を実行して、前記第１の画像および前記第２の画像を単一の画像に統合する統合された画像に関連付けられた前記統合された画像データを生成する、請求項８に記載のPOSシステム。
【請求項１０】
前記プロセッサ（２２）は、前記ディスプレイドライバ（２１２）を実行して、前記第１の画像および前記第２の画像の交互の表示に関連付けられた前記統合された画像データを生成する、請求項８に記載のPOSシステム。
【請求項１１】
情報取得装置（１）をさらに含み、前記情報取得装置（１）は商品に関する一般的な情報を取得するようにプログラムされ、
前記プロセッサ（２２）は、前記POSアプリケーション（２１１）を実行して、前記商品の前記一般的な情報を使用して前記第１の画像データを生成し、前記第１の画像は前記商品の前記一般的な情報を含む、
請求項８に記載のPOSシステム。
【請求項１２】
前記ストレージモジュール（２１）は広告情報をさらに格納し、
前記プロセッサ（２２）は前記POSアプリケーション（２１１）を実行して、前記広告情報を使用して前記第２の画像データを生成し、前記第２の画像は前記広告情報を含む、
請求項１１に記載のPOSシステム。
【請求項１３】
前記情報取得装置（１）はバーコードリーダを含み、前記バーコードリーダは、前記商品に関する前記一般的な情報を取得するために、前記商品に関連付けられたバーコードをスキャンすることができる、
請求項１１に記載のPOSシステム。
【請求項１４】
前記ストレージモジュール（２１）は、広告情報をさらに格納し、前記プロセッサ（２２）は前記POSアプリケーション（２１１）を実行して、前記広告情報を使用して前記第１の画像データおよび前記第２の画像データのうちの１つを生成し、前記第１の画像データおよび前記第２の画像データのうちの前記１つに関連付けられた前記第１の画像および前記第２の画像のうちの１つは、前記広告情報を含む、
請求項８に記載のPOSシステム。
【請求項１５】
プロセッサ（２２）によって実行されるとき、前記プロセッサ（２２）に請求項１乃至７のいずれか一項に記載された方法のステップを実行させるコンピュータが実行可能な命令を有する、コンピュータプログラム。
【発明の詳細な説明】
【技術分野】
【０００１】
本開示は、情報を表示するための方法に関し、より詳細には、販売時点情報管理（POS）システム上で情報を表示するための方法、POSシステムおよびプロセッサが前記方法を実行することを可能にするコンピュータプログラムに関する。
【背景技術】
【０００２】
従来の販売時点情報管理（POS）システムは、POSシステムを操作する従業員および／または顧客による閲覧のために、商品に関する一般的な情報（例えば、商品の明細および／または価格）の表示を目的としたディスプレイスクリーンを含む。一般的に従業員と対面して立っている顧客による閲覧のために追加情報（例えば、広告情報）を表示するためには、別のディスプレイスクリーンが必要とされる。台湾実用新案特許番号TW M473575Uは、反対方向を向いている２つのディスプレイスクリーンを持つ１つのそのようなPOSシステムを開示している。そのようなPOSシステムでは、オリジナルの（original）POSアプリケーションおよびオリジナルの表示ドライバ（displaying driver）を実行するプロセッサは、商品に関する一般的な情報を含む第１の画像と追加情報を含む第２の画像とを生成するとともに、第１の画像と第２の画像とを別々に２つのディスプレイスクリーンにそれらに表示するために送信するようにプログラムされてもよい。
【０００３】
しかしながら、全てのPOSシステムが複数のディスプレイスクリーンにそれぞれ結合するための複数のインタフェースポートを備えているわけではない。また、追加のディスプレイスクリーンを組み込むことは、POSシステムの全体的なコストを増大させる。
【発明の概要】
【発明が解決しようとする課題】
【０００４】
従って、本開示の目的は、販売時点情報管理（POS）システムの単一のディスプレイスクリーン上で一般的な情報および追加情報の両方の表示を可能にすることができるコンピュータによって実施される方法を提供することである。本開示の別の目的は、上述の方法を実施することができるPOSシステムを提供することである。本開示のさらに別の目的は、プロセッサによって実行されるとき、プロセッサに上述の方法のステップを実行させるコンピュータが実行可能な命令を含むコンピュータプログラム製品を提供することである。
【課題を解決するための手段】
【０００５】
本開示に基づくと、情報を表示するための方法は、販売時点情報管理（POS）システム上で実施される。POSシステムは、ホストおよびホストに結合されるディスプレイスクリーンを含む。ホストはプロセッサと、POSアプリケーションおよびディスプレイドライバを格納するストレージモジュールとを含む。方法は、
プロセッサによって、POSアプリケーションを実行して第１の画像および第２の画像にそれぞれ関連付けられた第１の画像データおよび第２の画像データを生成するステップと、
プロセッサによって、ディスプレイドライバを実行して第１の画像データおよび第２の画像データをそれぞれ第１の復号化データおよび第２の復号化データに復号するステップと、
プロセッサによって、ディスプレイドライバを実行して、第１の画像および第２の画像の両方を含む統合された画像に関連付けられた統合された画像データを生成するために、第１の復号化データおよび第２の復号化データを結合するステップと、
プロセッサによって、統合された画像データをディスプレイスクリーンに送信するステップと、
ディスプレイスクリーンによって、統合された画像をディスプレイスクリーン上に表示するステップと
を含む。
【０００６】
本開示に基づくと、POSシステムはホストおよびホストに結合されるディスプレイスクリーンを含む。ホストはプロセッサおよびストレージモジュールを含む。ストレージモジュールはPOSアプリケーションおよびディスプレイドライバを格納する。
プロセッサは、
POSアプリケーションを実行して第１の画像および第２の画像にそれぞれ関連付けられた第１の画像データおよび第２の画像データを生成し、
ディスプレイドライバを実行して第１の画像データおよび第２の画像データをそれぞれ第１の復号化データおよび第２の復号化データに復号し、
ディスプレイドライバを実行して、第１の画像および第２の画像の両方を含む統合された画像に関連付けられた統合された画像データを生成するために、第１の復号化データおよび第２の復号化データを結合し、
ディスプレイスクリーンが統合された画像をディスプレイスクリーン上に表示することを可能にするために、統合された画像データをディスプレイスクリーンに送信する
ようにプログラムされる。
【０００７】
本開示は、プロセッサによって実行されるとき、プロセッサに上述の方法のステップを実行させるコンピュータが実行可能な命令を含む、コンピュータプログラム製品をさらに提供する。
【発明の効果】
【０００８】
上述のPOSシステムは、第１の画像データおよび第２の画像データを復号するために、POSアプリケーションおよびディスプレイドライバを利用することができる。ディスプレイドライバは、様々な形式のデータが復号されてディスプレイスクリーンによる表示のためにサポートされている形式に変換されることができるようにプログラムされる。次いで、このように生成された統合された画像データは、ディスプレイスクリーンが第１の画像データおよび第２の画像データをディスプレイスクリーン上に同時に表示することを可能にする。
【０００９】
また、上述の方法は、送信ポートの数および／またはディスプレイスクリーンの数にかかわらず、POSアプリケーションおよびディスプレイドライバとともにインストールされた任意のPOSシステムによって実施されることができる。すなわち、利用可能な送信ポートを一つだけ持つPOSシステムのために、POSアプリケーションおよびディスプレイドライバは、方法が実行されるように実施されることができ、従って、統合された画像が表示されることを可能にする。あるいは、二つのディスプレイスクリーンを持つPOSシステムの所有者は、POSアプリケーションおよびディスプレイドライバをインストールした後、またはプロセッサおよびストレージモジュールを用いて実施された後、ディスプレイスクリーンを一つだけ採用するように決定してもよい。
【図面の簡単な説明】
【００１０】
本開示の他の特徴および利点は、添付の図面に関する実施形態の以下の詳細な説明において明らかになるであろう。
【００１１】
【図１】図１は、本開示に基づく販売時点情報管理（POS）システムの実施形態を示すブロック図である。
【図２】図２は、POSシステムによって実施される情報を表示するための方法を示すフローチャートである。
【発明を実施するための形態】
【００１２】
図１を参照すると、販売時点情報管理（POS）システムの実施形態は、情報取得装置１、ホスト２およびディスプレイスクリーン３を含む。
【００１３】
情報取得装置１は、無線周波数識別（radio-frequency identification：RFID）タグリーダ、バーコードリーダ、キーボード／マウスセットまたはそれらの組合せを使用して実装されてもよい。
【００１４】
ホスト２は、ストレージモジュール２１、プロセッサモジュール２２、第１送信ポート２３および第２送信ポート２４を含む。
【００１５】
ストレージモジュール２１は、オリジナルの表示ドライバ２１０、POSアプリケーション２１１およびディスプレイドライバ２１２を格納する。
【００１６】
本実施形態では、第１送信ポート２３は、デジタル・ビジュアル・インタフェース（digital visual interface：DVI）ポート、Dサブミニチュア（D-subminiature：D-sub）ポート、高精細度マルチメディアインタフェース（high-definition multimedia interface：HDMI（登録商標））ポートまたはユニバーサル・シリアル・バス（universal serial bus：USB）ポートを使用して実装されてもよい。一方、第２送信ポート２４は、USBポート、IBMパーソナルシステム/2（personal system/2：PS/2）ポートまたはRS-232規格をサポートするシリアルポートを使用して実装されてもよい。
【００１７】
第１送信ポート２３は、プロセッサ２２とディスプレイスクリーン３とを相互接続するように構成される。第２送信ポート２４は、プロセッサ２２と情報取得装置１とを相互接続するように構成される。
【００１８】
ホスト２は、第１送信ポート２３に類似するとともに、追加のディスプレイスクリーンが利用可能である場合にプロセッサ２２を追加のディスプレイスクリーンに接続するために使用される、第３送信ポート（図示せず）をさらに含む。
【００１９】
POSアプリケーション２１１が実行されると、プロセッサ２２は、第１の画像および第２の画像にそれぞれ関連付けられた第１の画像データおよび第２の画像データを生成することを可能にされる。
【００２０】
本実施形態では、第１の画像データは商品に関する一般的な情報（例えば、商品の明細および価格）を含んでもよい。第１の画像データは、情報取得装置１の動作（例えば、商品に関連付けられたバーコードをスキャンすること）および第２送信ポート２４を介したその後の送信を介してプロセッサ２２によって取得されてもよい。結果として、このように生成された第１の画像は商品の一般的な情報を含む。
【００２１】
第２の画像データは、例えば商品のカテゴリに関する広告情報、または、例えば店のプロモーション等に関連付けられた広告情報を含んでもよい。第２の画像データは、ストレージモジュール２１内に予め格納されてもよい。結果として、このように生成された第２の画像は広告情報を含む。
【００２２】
代替の実施例では、広告情報はストレージモジュール２１内に予め格納され、プロセッサ２２は広告情報を使用して第１の画像データおよび第２の画像データのうちの１つを生成して、第１の画像データおよび第２の画像データのうちの前記１つに関連付けられた第１の画像および第２の画像のうちの１つは広告情報を含む。
【００２３】
デフォルトでは、オリジナルの表示ドライバ２１０は、追加のディスプレイスクリーンを使用して表示されるように、プロセッサ２２が第３送信ポートを介して第１の画像を送信するとともに、ディスプレイスクリーン３を使用して表示されるように、プロセッサ２２が第１送信ポート２３を介して第２の画像を送信するようにプログラムされる。
【００２４】
ディスプレイスクリーンが一つだけ利用可能な（すなわち、追加のディスプレイスクリーンが第３送信ポートに接続されていない）本実施形態では、第１の画像データおよび第２の画像データが生成された後、ディスプレイドライバ２１２が実行されると、プロセッサ２２は、第１の画像データおよび第２の画像データをそれぞれ第１の復号化データおよび第２の復号化データに復号する。プロセッサ２２は、第１の画像および第２の画像の両方を含む統合された画像に関連付けられた統合された画像データを生成するために、第１の復号化データおよび第２の復号化データを結合することをさらに可能にされる。上述の動作は、オリジナルのディスプレイドライバ２１０のどの動作よりも先に行われる。
【００２５】
一実施例では、統合された画像データは単一の画像の形態をとってもよい。すなわち、ディスプレイドライバ２１２を実行するプロセッサ２２は、統合された画像に関連付けられた統合された画像データを生成してもよく、そのことは、第１の画像と第２の画像とを単一の画像に統合するためである。例えば、第１の画像は、統合された画像の上部に配置されてもよいとともに、第２の画像は、統合された画像の下部に配置されてもよい。このように、第１の画像および第２の画像は、ディスプレイスクリーン３に「フィット」するように（例えば、1024*768から512*768に）減らされた解像度を有するように処理されてもよい。
【００２６】
別の実施例では、統合された画像データは、第１の画像と第２の画像が交互に表示される形態をとってもよい。すなわち、ディスプレイドライバ２１２を実行するプロセッサ２２は、統合された画像に関連付けられた統合された画像データを生成してもよく、そのことは、第１の画像および第２の画像を交互に表示するためである。例えば、統合された画像を表示することは、同じまたは異なる所定時間の間第２の画像を表示することに切替える前に、所定時間（例えば、３秒）の間第１の画像を最初に表示することを含んでもよい。
【００２７】
本実施形態では、統合された画像は、生成された後、オリジナルの表示ドライバ２１０によって、第２の画像として処理され（すなわち、統合された画像は第１送信ポート２３を介してディスプレイスクリーン３に送信される）、結果としてディスプレイスクリーン３は統合された画像をディスプレイスクリーン３上に表示することを可能にされる。
【００２８】
さらに図２を参照すると、上述のPOSシステムは、情報を表示するための方法を実施するようにプログラムされてもよい。
【００２９】
ステップ４０では、情報取得装置１は、商品に関する一般的な情報を取得する。
【００３０】
ステップ４１では、プロセッサ２２は、POSアプリケーション２１１を実行して、一般的な情報および広告情報をそれぞれ使用して、第１の画像データおよび第２の画像データを生成する。
【００３１】
ステップ４２では、プロセッサ２２は、ディスプレイドライバ２１２を実行して、第１の画像データおよび第２の画像データをそれぞれ第１の復号化データおよび第２の復号化データに復号する。
【００３２】
ステップ４３では、プロセッサ２２は、ディスプレイドライバ２１２を実行して、統合された画像データを生成するために、第１の復号化データおよび第２の復号化データを結合する。
【００３３】
ステップ４４では、プロセッサ２２は、統合された画像データをディスプレイスクリーン３に送信するために、オリジナルの表示ドライバ２１０を実行する。
【００３４】
ステップ４５では、ディスプレイスクリーン３はディスプレイスクリーン３上に統合された画像を表示する。
【００３５】
他の実施形態では、方法は、現金自動預け払い機（automated teller machine：ATM）によって実施されてもよい。
【００３６】
一実施形態では、プロセッサ２２によって実行されるとき、プロセッサ２２に上述の方法のステップを実行させるコンピュータが実行可能な命令を含む（少なくともディスプレイドライバ２１２を含む）、コンピュータプログラムが提供される。
【００３７】
要約すると、上述のPOSシステムは、第１の画像データおよび第２の画像データを復号するために、任意のPOSシステムにオリジナルに（originally）提供される、POSアプリケーション２１１およびディスプレイドライバ２１２を利用することができる。ディスプレイドライバ２１２は、追加のディスプレイスクリーンを必要とせずに、様々な形式のデータが復号されてディスプレイスクリーン３によって表示されるためにサポートされている形式に変換されることができるようにプログラムされる。次いで、このように生成された統合された画像データは、ディスプレイスクリーン３が第１の画像データおよび第２の画像データをディスプレイスクリーン３上に同時にまたは交互に表示することを可能にする。
【００３８】
さらに、上述の方法は、ディスプレイスクリーンのために利用可能な送信ポートの数にかかわらず、POSアプリケーション２１１が付属している、且つディスプレイドライバ２１２とともにインストールされた任意のPOSシステムによって実施されることができる。すなわち、単一のディスプレイスクリーンとの接続のために利用可能な一つだけの送信ポートを持つPOSシステムのために、POSアプリケーション２１１およびディスプレイドライバ２１２は、方法が実行されるように実施されることができ、従って、統合された画像が単一のディスプレイスクリーンを使用して表示されることを可能にする。あるいは、二つのディスプレイスクリーンそれぞれとの接続のために二つの送信ポートを持つPOSシステムの所有者は、POSアプリケーション２１１およびディスプレイドライバ２１２をインストールした後、またはプロセッサ２２およびストレージモジュール２１を用いて実施された後、ディスプレイスクリーン３を一つだけ採用するように決定してもよく、オリジナルの表示ドライバ２１０によって行われる操作の一部は、POSシステムのハードウェア／ソフトウェア構成をさらに変更する必要なく上書きされてもよい。
【符号の説明】
【００３９】
１  情報取得装置
２  ホスト
３  ディスプレイスクリーン
２１  ストレージモジュール
２２  プロセッサモジュール
２３  第１送信ポート
２４  第２送信ポート
２１０  オリジナルの表示ドライバ
２１１  POSアプリケーション
２１２  ディスプレイドライバ
【図１】
2015212945.tif 000003
【図２】
2015212945.tif 000004
【外国語明細書】
2015212945000001.pdf